(57)【要約】【課題】  スピーカラインの短絡、断線を検出する。【解決手段】  電力増幅器１０の出力がそれぞれにスピーカライン１ａ、１ｂに供給される。増幅器１０の出力側を、スピーカライン１ａ、１ｂ双方または選択された一方の始端にスイッチング素子８ａ、８ｂが接続する。電力増幅器１０の出力側にスイッチング素子８ａ、８ｂを介して接続されている系統のスピーカラインのインピーダンスを検知回路１８が測定する。電力増幅器１０の出力側にスイッチング素子８ａ、８ｂを介してスピーカライン１ａ、１ｂ双方が接続されている状態において、検知回路１８によって測定されたインピーダンスに基づいて、スピーカライン１ａ、１ｂいずれかの短絡または断線をＣＰＵ２０が判定する。短絡と判定されたとき、ＣＰＵ２０は、スイッチング素子８ａ、８ｂに１系統ずつスピーカラインを電力増幅器１０に接続させ、その接続ごとに検知回路１８によって当該系統のスピーカラインのインピーダンスを測定し、その測定されたインピーダンスに基づいて短絡か否か判定する。【選択図】        図１
2007037024.tif 000002
【特許請求の範囲】
【請求項１】
電力増幅器の出力がそれぞれに供給される複数系統のスピーカラインと、
前記増幅器の出力側を、前記各系統のスピーカライン全てまたは選択されたものの始端に接続する接続手段と、
前記電力増幅器の出力側に前記接続手段を介して接続されている系統のスピーカラインのインピーダンスを測定するインピーダンス測定手段と、
前記電力増幅器の出力側に前記接続手段を介して前記全ての系統のスピーカラインが接続されている状態において、前記インピーダンス測定手段によって測定されたインピーダンスに基づいて、いずれかの系統のスピーカラインの短絡または断線を判定する短絡・断線判定手段と、
この判定手段が、いずれかの系統の短絡と判定したとき、前記接続手段に１系統ずつ前記スピーカラインを前記電力増幅器に接続させ、その接続ごとに前記インピーダンス測定手段によって当該系統のスピーカラインのインピーダンスを測定し、その測定されたインピーダンスに基づいて短絡か否か判定する短絡判定手段とを、
具備するスピーカラインの検査装置。
【請求項２】
請求項１記載のスピーカラインの検査装置において、前記短絡判定手段によって短絡と判定された系統のスピーカラインを前記電力増幅器と非接続とするように、前記接続手段を前記判定手段が制御するスピーカラインの検査装置。
【請求項３】
請求項１または２記載のスピーカラインの検査装置において、前記インピーダンス測定用に非可聴周波数の交流信号を継続的に前記接続手段を介して供給するスピーカラインの検査装置。
【発明の詳細な説明】
【技術分野】
【０００１】
本発明は、スピーカラインの検査装置に関し、特に複数系統のスピーカラインの検査装置に関する。
【背景技術】
【０００２】
複数のスピーカラインの検査装置としては、例えば特許文献１に開示されているものがある。特許文献１の検査装置は、複数系統のスピーカラインのいずれかにおいて短絡が発生したとき、系統ごとに短絡の有無を検査する。
【０００３】
【特許文献１】特開２００１−３６９９５号公報
【発明の開示】
【発明が解決しようとする課題】
【０００４】
しかし、この検査装置では、各系統のいずれが短絡しているかを検出することはできるが、断線を検出することはできない。
【０００５】
本発明は、複数の系統のいずれにおいて短絡が発生しているかだけでなく、いずれかの系統において断線が発生しているかも検出することができるスピーカラインの検査装置を提供することを目的とする。
【課題を解決するための手段】
【０００６】
本発明の一態様のスピーカラインの検査装置は、電力増幅器の出力がそれぞれに供給される複数系統のスピーカラインを有している。各系統においてスピーカラインにはスピーカが接続されている。前記増幅器の出力側を、前記各系統のスピーカライン全ての始端または選択されたものの始端に接続手段が接続する。前記電力増幅器の出力側に前記接続手段を介して接続されている系統のスピーカラインのインピーダンスをインピーダンス測定手段が測定する。このインピーダンス測定手段としては、例えばスピーカラインの始端における電圧または電流を測定するもの、または電圧及び電流を測定するものを使用することができる。前記電力増幅器の出力側に前記接続手段を介して前記全ての系統のスピーカラインが接続されている状態において、短絡・断線判定手段が前記インピーダンス測定手段によって測定されたインピーダンスに基づいて、いずれかの系統のスピーカラインの短絡または断線を検出する。この短絡・断線判定手段は、例えば測定されたインピーダンスを例えば異なる値の２つの基準インピーダンスと比較して、断線、正常または短絡と判定する。この短絡・断線判定手段が、いずれかの系統の短絡と判定したとき、前記接続手段に１系統ずつ前記スピーカラインを前記電力増幅器に接続させ、その接続ごとに前記インピーダンス測定手段によって当該系統のスピーカラインのインピーダンスを測定し、その測定されたインピーダンスに基づいて短絡か否かを短絡判定手段が判定する。
【０００７】
このように構成したスピーカラインの検査装置では、短絡・断線判定手段が短絡と判定したとき、系統ごとに接続手段によってインピーダンス測定手段を接続し、系統ごとに短絡しているか否かを判定する。従って、各系統のいずれが短絡しているかを判定することができる。さらに、短絡・断線判定手段によっていずれかの系統において断線が発生していることも検出することができる。
【０００８】
前記短絡判定手段によって短絡と判定された系統のスピーカラインを前記電力増幅器と非接続とするように、前記接続手段を前記判定手段が制御することもできる。もし、短絡・断線判定手段のみを設けただけならば、短絡がいずれかの系統で発生していることが判明するだけであり、仮に短絡が発生していることが判明しても、いずれの系統で短絡が発生しているか不明であるので、電力増幅器の出力は、いずれの系統のスピーカラインにも伝送されない。これに対し、上記のように構成すると、短絡判定手段によっていずれの系統で断線が発生しているかが判明し、その判明した系統を電力増幅器から切り離しているので、断線していない系統では電力増幅器の出力信号の伝送を継続することができる。
【０００９】
また、前記インピーダンス測定用に非可聴周波数の交流信号を継続的に前記接続手段を介して供給することもできる。交流信号は電力増幅器の入力側から供給することによって、接続手段を介して供給することもできるし、電力増幅器の出力側から供給することによって、接続手段を介して供給することもできる。このように構成すると、継続的に交流信号が供給されているので、たとえ電力増幅器から通常の可聴周波数信号が出力されていないときでも、短絡または断線を検出することができる。しかも、この交流信号は非可聴周波数であるので、たとえ電力増幅器から通常の可聴周波数信号が出力されていても、その障害となることはない。
【発明の効果】
【００１０】
以上のように、本発明によれば、各系統のいずれか短絡しているかだけでなく、各系統のいずれかが断線しているかも判定することができる。
【発明を実施するための最良の形態】
【００１１】
本発明の１実施形態のスピーカラインの検査装置は、図１に示すように、複数系統、例えば２系統のスピーカラインを備えている。その一系統のスピーカライン１ａは、ホットライン２ａとコールドライン４ａとからなり、それらの間に複数のスピーカ６ａが接続されている。他の一系統のスピーカライン１ｂは、ホットライン２ｂとコールドライン４ｂとからなり、それらの間にも複数のスピーカ６ｂが接続されている。これら２系統のスピーカライン１ａ、１ｂは、例えば建物の各部屋や廊下に敷設され、一方の系統のスピーカ６ａと他方の系統のスピーカ６ｂとは、点線で囲んで示すように、それぞれ対応して配置されている。従って、一方の系統で放送が行えない場合でも、他方の系統での放送が行われ、各部屋及び廊下等において全く放送が聞こえないことがないようにされている。
【００１２】
各系統のスピーカラインの一方、例えばホットライン２ａ、２ｂの始端には、それぞれ接続手段、例えばスイッチング素子８ａ、８ｂが配置されている。これらスイッチング素子８ａ、８ｂは、ホットライン２ａ、２ｂ、コールドライン４ａ、４ｂの双方に設けることもできるし、コールドライン４ａ、４ｂのみに設けることもできる。スイッチング素子としては、リレー接点のような機械スイッチを使用することもできるし、ＦＥＴやバイポーラトランジスタのような電子スイッチを使用することもできる。
【００１３】
スイッチング素子８ａを介してホットライン２ａ、コールドライン４ａは電力増幅器１０に接続され、スイッチング素子８ｂを介してホットライン２ｂ、コールドライン４ｂも電力増幅器１０に接続されている。従って、スイッチング素子８ａ、８ｂが共に閉じられているとき、２系統のスピーカライン１ａ、１ｂは並列に電力増幅器１０に接続される。一方、スイッチング素子８ａが閉じられ、スイッチング素子８ｂが開かれているとき、スピーカライン１ａのみが電力増幅器１０に接続される。逆に、スイッチング素子８ａが開かれ、スイッチング素子８ｂが閉じられているとき、スピーカライン１ｂのみが電力増幅器１０に接続される。
【００１４】
電力増幅器１０には、音声信号源として例えばマイクロホン１２からの音声信号が供給され、この音声信号が電力増幅器１０で増幅されて、各スピーカライン１ａ、１ｂに供給される。また、電力増幅器１０の入力側には、ミキサ１４が設けられ、マイクロホン１２からの音声信号と、検査信号源、例えば非可聴周波数、具体的には４０Ｈｚの交流信号源１６からの交流信号とを混合して、電力増幅器１０に供給している。この交流信号は、継続してミキサ１４に供給されている。
【００１５】
スイッチング素子８ａを介してホットライン２ａ、コールドライン４ａが、インピーダンス測定手段、例えば検知回路１８に接続されている。同様にスイッチング素子８ｂを介してホットライン２ｂ、コールドライン４ｂも、検知回路１８に接続されている。この検知回路１８は、スイッチング素子８ａ、８ｂが共に閉じられているときには、両スピーカライン１ａ、１ｂを流れる交流信号の電流を検出し、スイッチング素子８ａが閉じられ、スイッチング阻止８ｂが開かれているとき、スピーカライン１ａを流れる交流信号の電流を検出し、スイッチング素子８ａが開かれ、スイッチング素子８ｂが閉じられているとき、スピーカライン１ｂを流れる交流信号の電流を測定する。そのため、検知回路１８は、交流信号を抽出する抽出手段、例えばフィルタを備えている。交流信号源１６からの交流信号の電圧は一定であるので、電流を測定することによって、スイッチング素子８ａ、８ｂの開閉状況に応じて、スピーカライン１ａ、１ｂが並列に接続されているときのインピーダンス、スピーカライン１ａのみのインピーダンス、スピーカライン１ｂのみのインピーダンスを測定可能である。なお、スイッチング素子８ａ、８ｂの開閉状況に応じて、スピーカライン１ａ、１ｂが並列に接続されているときの電圧、スピーカライン１ａのみの電圧、スピーカライン１ｂのみの電圧も測定し、測定電圧および測定電流からインピーダンスを求めることも可能である。
【００１６】
この測定された電流は、短絡・断線判定手段及び短絡判定手段、例えばＣＰＵ２０に供給される。ＣＰＵ２０は、記憶手段、例えばメモリ２２に記憶されているプログラムに従って動作し、スイッチング素子８ａ、８ｂの開閉を行い、スピーカライン１ａ、１ｂのいずれかで短絡または断線が発生していないか判定し、また短絡が発生していると判定すると、スピーカライン１ａ、１ｂのいずれで短絡が発生しているかを判定する。また、短絡が発生しているスピーカラインが判明すると、そのスピーカラインに対応するスイッチング素子を開く。
【００１７】
この様な処理を行う前提として、スピーカライン１ａ、１ｂが共に正常な状態において、並列に接続されたスピーカライン１ａ、１ｂに流れる電流、スピーカライン１ａのみに流れる電流、スピーカライン１ｂのみに流れる電流を測定する。その測定指示用に測定指示手段、例えばイニシャルスイッチ２４がＣＰＵ２０に接続されている。このイニシャルスイッチ２４が操作されると、ＣＰＵ２０は、図２に示すように、スイッチング素子８ａ、８ｂを共に閉じ（ステップＳ２）、そのときの電流Ｉａｂを測定し、メモリ２２に記憶する（ステップＳ４）。次にスイッチング素子８ａを閉じ、スイッチング素子８ｂを開いた状態とし（ステップＳ６）、そのときの電流Ｉａを測定し、メモリ２２に記憶する（ステップＳ８）。更にスイッチング素子８ａを開き、スイッチング素子８ｂを閉じた状態とし（ステップＳ１０）、そのときの電流Ｉｂを測定し、メモリ２２に記憶する（ステップＳ１２）。
【００１８】
次に、ＣＰＵ２２は常に図３に示す短絡・断線判定処理を行う。この判定が行われるとき、スイッチング素子８ａ、８ｂは共に閉じられており、マイクロホン１２からの音声信号が両スピーカライン１ａ、１ｂに伝送されている。検知回路１８によって測定した電流Ｉが、初期状態において測定した電流Ｉａｂから予め定めた値αだけ減算した許容下限電流よりも小さいか判定する（ステップＳ１４）。この判定の結果がイエスの場合、スピーカライン１ａ、１ｂのいずれかで断線が発生していると判断できるので、ＣＰＵ２０は図示していない表示手段に、断線報知の表示を行う（ステップＳ１６）。なお、スピーカライン１ａ、１ｂの一方が断線していても、他方のスピーカラインによって放送を継続することができる。従って、速やかに修理業者に修理を依頼するための報知のみを行う。
【００１９】
ステップＳ１６の判定の答えがノーの場合、またはステップＳ１６の処理に続いて、測定電流Ｉが、初期状態において測定した電流Ｉａｂに予め定めた値Βを加算した許容上限電流よりも大きいか判定する（ステップＳ１８）。この判断の答えがイエスの場合、スピーカライン１ａ、１ｂのいずれかで短絡が発生していると判断されるので、短絡判定処理を行う（ステップＳ２０）。ステップＳ１８の判定結果がイエスの場合、正常であると判定されるので、この処理を終了する。
【００２０】
ステップＳ２０での処理は、図４に示すように、まず、図示していない表示手段に、短絡報知の表示を行う（ステップＳ２１）。次に、スイッチング素子８ａを閉じ、スイッチング素子８ｂを開き、電流Ｉを測定する（ステップＳ２２）。即ち、スピーカライン１ａ単独での電流を測定する。この電流Ｉが、初期状態においてスピーカライン１ａ単独で測定した電流Ｉａよりも大きいか判定する（ステップＳ２４）。この判断の答えがイエスの場合、スピーカライン１ａが短絡していると判定されるので、フラグＦ１を１とする（ステップＳ２６）。なお、初期状態では、フラグＦ１は０にセットされている。
【００２１】
ステップＳ２４の判断の答えがノーの場合、またはステップＳ２６の処理に続いて、スイッチング素子８ａを開き、スイッチング素子８ｂを閉じて、電流Ｉを測定する（ステップＳ２８）。即ち、スピーカライン１ｂ単独での電流を測定する。この電流Ｉが、初期状態においてスピーカライン１ｂ単独で測定した電流Ｉｂよりも大きいか判定する（ステップＳ３０）。この判断の答えがイエスの場合、スピーカライン１ｂが短絡していると判定されるので、フラグＦ２を１とする。なお、初期状態では、フラグＦ２も０にセットされている（ステップＳ３２）。
【００２２】
ステップＳ３０の判定の結果がノーの場合、またはステップＳ３２に続いて、スイッチング素子８ａ、８ｂを共に閉じ（ステップＳ３４）、次にフラグＦ１が１であるか判断する（ステップＳ３６）。この判断の答えがイエスの場合、スピーカライン１ａで短絡が発生しているので、スイッチング素子８ａを開き、スピーカライン１ａへの電力増幅器１０の出力供給を中止する（ステップＳ３８）。
【００２３】
ステップＳ３６の判断の答えがノーの場合、またはステップＳ３８の処理に続いて、フラグＦ２が１であるか判断する（ステップＳ４０）。この判断の答えがイエスの場合、スピーカライン１ｂで短絡が発生しているので、スイッチング素子８ｂを開き、スピーカライン１ｂへの電力供給を中止する（ステップＳ４２）。ステップＳ４０の判断の答えがノーの場合、またはステップＳ４２の処理に続いて、この短絡判定処理を終了する。
【００２４】
このようにして、短絡している系統のスピーカラインには電力増幅器１０からの出力供給を停止しているので、正常な系統での放送を継続することができる。特に、各スピーカライン１ａ、１ｂには、建物の各部屋や廊下には、両系統のスピーカラインのスピーカ６ａ、６ｂが配置されているので、一方の系統のスピーカラインが短絡していても、残りの系統のスピーカラインのスピーカで放送を継続することができ、放送が聴取できない部屋や廊下は存在しない。従って、緊急放送等は確実に各部屋や廊下に放送される。しかも、このようなスピーカラインの検査は、非可聴周波数の交流信号を用いて常時行われているので、緊急放送を行わなければならないときに、短絡や断線が生じていて、緊急放送を確実に伝達できない事態の発生を防止できる。
【００２５】
上記の実施の形態では、２系統のスピーカライン１ａ、１ｂを敷設する例を示したが、これに限ったものではなく、更に多くの系統のスピーカラインを敷設する場合にも、本発明を実施することができる。
【図面の簡単な説明】
【００２６】
【図１】本発明の１実施形態のスピーカラインの検査装置のブロック図である。
【図２】図１の検査装置における初期設定処理のフローチャートである。
【図３】図１の検査装置における短絡・断線判定処理のフローチャートである。
【図４】図１の検査装置における短絡判定処理のフローチャートである。
【符号の説明】
【００２７】
１ａ、１ｂ  スピーカライン
８ａ、８ｂ  スイッチング素子
１８  検知回路（インピーダンス測定手段）
２０  ＣＰＵ（短絡・断線判定手段、短絡判定手段）
【図１】
2007037024.tif 000003
【図２】
2007037024.tif 000004
【図３】
2007037024.tif 000005
【図４】
2007037024.tif 000006